(57)【要約】【課題】高い演色性を有する光を照射可能な発光モジュール、および照明装置を提供することである。【解決手段】実施形態に係る発光モジュールは、少なくとも１つの第１の発光素子と、少なくとも１つの第２の発光素子と、を有し、第１の光を照射可能な第１の光源と；少なくとも１つの第３の発光素子と、少なくとも１つの第４の発光素子と、を有し、前記第１の光よりも高い色温度の第２の光を照射可能な第２の光源と；を具備している。前記第１の発光素子は、第１の白色光を照射可能である。前記第３の発光素子は、前記第１の白色光よりも高い色温度の第２の白色光を照射可能である。前記第２の発光素子、および前記第４の発光素子は、赤色光を照射可能である。前記第１の光および前記第２の光が合わさることで、色温度が２０００Ｋ以上、３２００Ｋ以下の範囲において、平均演色評価数Ｒａが９０以上、特殊演色評価数Ｒ９が９０以上となる。【選択図】図７
2020119723.tif 000002
【特許請求の範囲】
【請求項１】
少なくとも１つの第１の発光素子と、少なくとも１つの第２の発光素子と、を有し、第１の光を照射可能な第１の光源と；
少なくとも１つの第３の発光素子と、少なくとも１つの第４の発光素子と、を有し、前記第１の光よりも高い色温度の第２の光を照射可能な第２の光源と；
を具備し、
前記第１の発光素子は、第１の白色光を照射可能であり、
前記第３の発光素子は、前記第１の白色光よりも高い色温度の第２の白色光を照射可能であり、
前記第２の発光素子、および前記第４の発光素子は、赤色光を照射可能であり、
前記第１の光および前記第２の光が合わさることで、色温度が２０００Ｋ以上、３２００Ｋ以下の範囲において、平均演色評価数Ｒａが９０以上、特殊演色評価数Ｒ９が９０以上となる発光モジュール。
【請求項２】
前記第２の発光素子、および前記第４の発光素子は、ピーク波長が７００ｎｍ以上、７５０ｎｍ以下の光を照射可能である請求項１記載の発光モジュール。
【請求項３】
前記第１の白色光の色温度は、１８００Ｋ以下である請求項１または２に記載の発光モジュール。
【請求項４】
前記第２の白色光の色温度は、３０００Ｋ以上である請求項１〜３のいずれか１つに記載の発光モジュール。
【請求項５】
請求項１〜４のいずれか１つに記載の発光モジュールを具備した照明装置。
【発明の詳細な説明】
【技術分野】
【０００１】
本発明の実施形態は、発光モジュール、および照明装置に関する。
【背景技術】
【０００２】
舞台やスタジオなどに設置される照明装置は、照射する光の色により雰囲気の演出を行う。一般的に、この様な照明装置には、ハロゲンランプと、カラーフィルタとが設けられている。一方、近年においては、長寿命化、省電力化、省電力による環境保護（例えば、地球温暖化の原因の一つであるＣＯ２の削減）、軽量化、あるいは小型化などの観点から、ハロゲンランプに代えて、発光ダイオードを光源とする照明装置が提案されている。
【０００３】
ここで、発光ダイオードが設けられた照明装置から照射される光には、ハロゲンランプが設けられた照明装置から照射される光と同等の高い演色性が求められる。ところが、発光ダイオードから照射される光のスペクトルは、ハロゲンランプから照射される光のスペクトルとは異なるものとなる。そのため、単に、ハロゲンランプを発光ダイオードに置き換えると、照射対象の人物などが不自然な色合いで視認されるおそれがある。  
そこで、発光素子を光源とする場合であっても、高い演色性を有する光を照射可能な発光モジュール、および照明装置の開発が望まれていた。
【先行技術文献】
【特許文献】
【０００４】
【特許文献１】特開２０１３−０７７４９１号公報
【発明の概要】
【発明が解決しようとする課題】
【０００５】
本発明が解決しようとする課題は、高い演色性を有する光を照射可能な発光モジュール、および照明装置を提供することである。
【課題を解決するための手段】
【０００６】
実施形態に係る発光モジュールは、少なくとも１つの第１の発光素子と、少なくとも１つの第２の発光素子と、を有し、第１の光を照射可能な第１の光源と；少なくとも１つの第３の発光素子と、少なくとも１つの第４の発光素子と、を有し、前記第１の光よりも高い色温度の第２の光を照射可能な第２の光源と；を具備している。前記第１の発光素子は、第１の白色光を照射可能である。前記第３の発光素子は、前記第１の白色光よりも高い色温度の第２の白色光を照射可能である。前記第２の発光素子、および前記第４の発光素子は、赤色光を照射可能である。前記第１の光および前記第２の光が合わさることで、色温度が２０００Ｋ以上、３２００Ｋ以下の範囲において、平均演色評価数Ｒａが９０以上、特殊演色評価数Ｒ９が９０以上となる。
【発明の効果】
【０００７】
本発明の実施形態によれば、高い演色性を有する光を照射可能な発光モジュール、および照明装置を提供することができる。
【図面の簡単な説明】
【０００８】
【図１】本実施の形態に係る発光モジュールを例示するための模式平面図である。
【図２】第１の光源を例示するための回路図である。
【図３】第１の光源から照射された光のスペクトルを例示するための模式グラフ図である。
【図４】第２の光源を例示するための回路図である。
【図５】第２の光源から照射された光のスペクトルを例示するための模式グラフ図である。
【図６】本実施の形態に係る照明装置を例示するための模式斜視図である。
【図７】第１の光源および第２の光源に直流電力を供給した場合の光の色温度と演色評価数とを例示するための模式グラフ図である。
【発明を実施するための形態】
【０００９】
以下、図面を参照しつつ、実施の形態について例示をする。なお、各図面中、同様の構成要素には同一の符号を付して詳細な説明は適宜省略する。  
（発光モジュール）  
図１は、本実施の形態に係る発光モジュール１を例示するための模式平面図である。  
図１に示すように、発光モジュール１には、基板１０、第１の光源２０、および第２の光源３０を設けることができる。
【００１０】
基板１０は、板状を呈するものとすることができる。基板１０の材料や構造には特に限定はない。例えば、基板１０は、酸化アルミニウムや窒化アルミニウムなどの無機材料（セラミックス）、紙フェノールやガラスエポキシなどの有機材料などから形成することができる。また、基板１０は、金属板の表面を絶縁材料で被覆したものであってもよい。
【００１１】
第１の光源２０および第２の光源３０の発熱量が多い場合には、放熱の観点から熱伝導率の高い材料を用いて基板１０を形成することが好ましい。熱伝導率の高い材料としては、例えば、酸化アルミニウムや窒化アルミニウムなどのセラミックス、金属板の表面を絶縁材料で被覆したものなどを例示することができる。
【００１２】
基板１０の表面には、第１の配線パターン１１および第２の配線パターン１２を設けることができる。第１の配線パターン１１には、第１の光源２０が電気的に接続される。第１の配線パターン１１には、発光素子を実装するための実装パッド、および電源などとの電気的な接続を行うための入力端子１１ａなどを設けることができる。第２の配線パターン１２には、第２の光源３０が電気的に接続される。第２の配線パターン１２には、発光素子を実装するための実装パッド、および電源などとの電気的な接続を行うための入力端子１２ａなどを設けることができる。
【００１３】
実装パッドの表面には、発光素子と実装パッドを機械的および電気的に接続する接合層を設けることができる。接合層は、例えば、鉛フリー半田（ＳＡＣ：ＳｎＡｇＣｕなど）、金錫（ＡｕＳｎ）合金ペースト、銀ペースト、銀ナノペーストなどの導電性の接合材を含むものとすることができる。
【００１４】
第１の配線パターン１１および第２の配線パターン１２は、例えば、メッキ法やスクリーン印刷法などを用いて形成することができる。第１の配線パターン１１および第２の配線パターン１２の材料は、導電性材料であれば特に限定はないが、導電性などを考慮すると、銀、銀合金、銅、銅合金などとすることが好ましい。
【００１５】
また、第１の配線パターン１１および第２の配線パターン１２の露出部分をガラス材料を含む膜で覆ったり、耐食性金属を含む膜で覆ったりすることもできる。耐食性金属は、例えば、金などとすることができる。第１の配線パターン１１および第２の配線パターン１２の露出部分がこれらの膜で覆われていれば、第１の配線パターン１１および第２の配線パターン１２の露出部分が腐食して断線や不灯などが発生するのを抑制することができる。
【００１６】
また、必要に応じて、多層構造を有する基板１０とすることもできる。この場合、発光素子が実装された配線パターンと、基板１０の内部に設けられた配線パターンとは、導通ビアなどを介して電気的に接続することができる。
【００１７】
第１の光源２０は、少なくとも１つの第１の発光素子２１、および少なくとも１つの第２の発光素子２２を有することができる。
なお、以下においては、一例として、複数の第１の発光素子２１、および複数の第２の発光素子２２が設けられる場合を説明する。  
図２は、第１の光源２０を例示するための回路図である。  
図３は、第１の光源２０から照射された光（第１の光の一例に相当する）のスペクトルを例示するための模式グラフ図である。なお、一般的に、可視光線は、波長が３８０ｎｍ以上、７８０ｎｍ以下の範囲とされている。そのため、図３においては、波長が３８０ｎｍ以上、７８０ｎｍ以下の範囲のスペクトルについて例示する。
【００１８】
図２に示すように、第１の光源２０には、複数の第１の発光素子２１が直列接続された第１の回路２３と、複数の第２の発光素子２２が直列接続された第２の回路２４を設けることができる。第２の回路２４は、第１の回路２３と直列接続することができる。
【００１９】
また、必要に応じて、第１の光源２０には、並列接続された複数の第１の回路２３と、これに直列接続された第２の回路２４とを設けることができる。またさらに、並列接続された複数の第１の回路２３と、これに直列接続された第２の回路２４とを複数組並列接続することができる。
【００２０】
第１の発光素子２１は、白色光（第１の白色光の一例に相当する）を照射するものとすることができる。第１の発光素子２１から出射される白色光の色温度は、１８００Ｋ以下（例えば、１７３６Ｋ）とすることができる。
【００２１】
第２の発光素子２２は、赤色光を照射するものとすることができる。第２の発光素子２２から照射される赤色光のピーク波長は、例えば、７００ｎｍ以上、７５０ｎｍ以下とすることができる。
【００２２】
第１の光源２０においては、例えば、第１の発光素子２１の数、および第２の発光素子２２の数を適宜設定することで、図３に示すスペクトルを得ることができる。この場合、第１の発光素子２１の数、および第２の発光素子２２の数は、第１の発光素子２１の光束、および第２の発光素子２２の光束により決定することができる。
【００２３】
例えば、第１の発光素子２１の光束を５７ルーメン（ｌｍ）、第２の発光素子２２の光束を１．２ルーメンとすると、図２に例示をしたように、第１の発光素子２１の数は１２個、第２の発光素子２２の数は２４個とすることができる。
【００２４】
ただし、第１の発光素子２１の数、および第２の発光素子２２の数は、それぞれの光束に応じて、図３に示すスペクトルが得られるように適宜変更することができる。  
すなわち、それぞれの光束に応じて、第１の発光素子２１の数、および第２の発光素子２２の数を設定することで、第１の発光素子２１から照射される白色光のピーク波長の範囲内（例えば、５８０ｎｍ以上、６８０ｎｍ以下の範囲内）にある発光強度ピークに対して、第２の発光素子２２から照射される赤色光の発光強度ピークが高くなるような光が第１の光源２０から照射されるようにすればよい。
この場合、直列接続される第１の発光素子２１の数、および直列接続される第２の発光素子２２の数は、第１の発光素子２１の順方向電圧特性、および第２の発光素子２２の順方向電圧特性などに応じて設定することができる。
【００２５】
第２の光源３０は、少なくとも１つの第３の発光素子３１、および、少なくとも１つの第４の発光素子３２を有することができる。第２の光源３０から照射された光（第２の光の一例に相当する）の色温度は、第１の光源２０から照射された光の色温度よりも高くすることができる。
なお、以下においては、一例として、複数の第３の発光素子３１、および複数の第４の発光素子３２が設けられる場合を説明する。
図４は、第２の光源３０を例示するための回路図である。  
図５は、第２の光源３０から照射された光のスペクトルを例示するための模式グラフ図である。なお、一般的に、可視光線は、波長が３８０ｎｍ以上、７８０ｎｍ以下の範囲とされている。そのため、図５においては、波長が３８０ｎｍ以上、７８０ｎｍ以下の範囲のスペクトルについて例示する。
【００２６】
図４に示すように、第２の光源３０には、複数の第３の発光素子３１が直列接続された第３の回路３３と、複数の第４の発光素子３２が直列接続された第４の回路３４を設けることができる。第４の回路３４は、第３の回路３３と直列接続することができる。
【００２７】
また、必要に応じて、第２の光源３０には、並列接続された複数の第３の回路３３と、これに直列接続された第４の回路３４とを設けることができる。またさらに、並列接続された複数の第３の回路３３と、これに直列接続された第４の回路３４とを複数組並列接続することができる。
【００２８】
第３の発光素子３１は、白色光（第２の白色光の一例に相当する）を照射するものとすることができる。第３の発光素子３１から照射される白色光の色温度は、第１の発光素子２１から照射される白色光の色温度よりも高くすることができる。第３の発光素子３１から出射される白色光の色温度は、３０００Ｋ以上（例えば、３０５８Ｋ）とすることができる。
【００２９】
第４の発光素子３２は、赤色光を照射するものとすることができる。第４の発光素子３２から照射される赤色光のピーク波長は、例えば、７００ｎｍ以上、７５０ｎｍ以下とすることができる。第４の発光素子３２は、前述した第２の発光素子２２と同じとすることができる。
【００３０】
第２の光源３０においては、第３の発光素子３１の数、および第４の発光素子３２の数を適宜設定することで、図５に示すスペクトルを得ることができる。この場合、第３の発光素子３１の数、および第４の発光素子３２の数は、第３の発光素子３１の光束、および第４の発光素子３２の光束により決定することができる。
【００３１】
例えば、第３の発光素子３１の光束を１９ルーメン、第４の発光素子３２の光束を１．２ルーメンとすると、図４に例示をしたように、第３の発光素子３１の数は３５個、第４の発光素子３２の数は２個とすることができる。
【００３２】
ただし、第３の発光素子３１の数、および第４の発光素子３２の数は、それぞれの光束に応じて、図５に示すスペクトルが得られるように適宜変更することができる。  
すなわち、それぞれの光束に応じて、第３の発光素子３１の数、および第４の発光素子３２の数を設定することで、第３の発光素子３１から照射される白色光のピーク波長の範囲内（例えば、５８０ｎｍ以上、６８０ｎｍ以下の範囲内）にある発光強度ピークに対して、第４の発光素子３２から照射される赤色光の発光強度ピークが高くなるような光が第２の光源３０から照射されるようにすればよい。
この場合、直列接続される第３の発光素子３１の数、および直列接続される第４の発光素子３２の数は、第３の発光素子３１の順方向電圧特性、および第４の発光素子３２の順方向電圧特性などに応じて設定することができる。
【００３３】
白色光に本実施の形態に示すような赤色光を付加することで、第１の光源２０、第２の光源３０のそれぞれにおいては、照射対象の人物などが不自然な色合いで視認されるのを抑制する効果も期待できる。例えば、人間の肌色は５８０ｎｍから７８０ｎｍまでの間で分光反射率の相対値が大きくなるが、一般的な発光ダイオードを光源とする照明装置では、視感度に寄与しにくい領域であることから、この領域の光は必要以上に含まれないものであった。そのため、例えば、人間の肌に光を照射した場合、反射光が少なく不自然な色合いで視認されてしまう虞がある。本実施の形態に係る照明装置１００（発光モジュール１）は、赤色光を付加することで、肌色の反射率が大きい領域の光を照射することができるので、より自然な色合いで照射対象の人物などを視認することが可能となる。
【００３４】
第１の発光素子２１、第２の発光素子２２、第３の発光素子３１、および第４の発光素子３２は、例えば、発光ダイオード、レーザダイオードなどとすることができる。平面視におけるこれらの発光素子の形状（発光素子を光の放射側から見た場合の形状）は、例えば、四角形とすることができる。
【００３５】
なお、図１においては、平面視における発光素子の形状が正方形の場合を例示したが、発光素子の形状は長方形でもよい。また、発光素子の大きさが同じ（平面寸法が同じ）場合を例示したが、発光素子の大きさは異なっていてもよい。この場合、複数の発光素子において、正方形と長方形の発光素子が設けられていたり、大きさの異なる発光素子が設けられていたりしてもよい。
【００３６】
また、図１においては、円形の領域に複数の発光素子が配置される場合を例示したが、複数の発光素子が配置される領域の形状は適宜変更することができる。例えば、四角形の領域に複数の発光素子が配置されるようにしてもよい。また、複数の発光素子が、複数列、且つ複数行に並べられる場合を例示したが、これに限定されるわけではない。例えば、複数の発光素子を一列に並べることもできるし、放射状に並べることもできるし、ランダムな配置にすることもできる。
【００３７】
また、これらの発光素子には、必要に応じて蛍光体部を設けることもできる。蛍光体部は、これらの発光素子の光の放射面に設けることもできるし、これらの発光素子を覆うように設けることもできる。例えば、これらの発光素子を製造する際に、光の放射面に蛍光体を含む樹脂を塗布したり、蛍光体を含む樹脂シートを貼り付けたりすることができる。また、これらの発光素子を第１の配線パターン１１および第２の配線パターン１２に実装した後に、ディスペンサなどを用いて、蛍光体を含む樹脂を発光素子に供給することもできる。この場合、蛍光体の種類および量は、前述した白色光の色温度や、赤色光のピーク波長が得られるように適宜調整することができる。
【００３８】
これらの発光素子は、例えば、砲弾型の発光素子とすることもできるし、ＳＭＤ（Surface Mount Device）、すなわち表面実装型の発光素子とすることもできるし、ＣＯＢ（Chip On Board）に用いられるチップ状の発光素子とすることもできるし、チップ状の発光素子であるＣＳＰ(Chip Scale Package)とすることもできる。ただし、小型化、高集積化などを考慮すると、ＳＭＤとすることが好ましく、ＣＯＢ、ＣＳＰなどのチップ状の発光素子とすることがさらに好ましい。
【００３９】
その他、基板１０には、必要に応じて、ダイオードなどの保護素子、コンデンサや抵抗などの受動素子、制御回路などが設けられた集積回路、配線パターンを連結するのに用いるジャンパー線やジャンパー素子などを設けることもできる。また、基板１０には、必要に応じて、複数の発光素子が設けられた領域を囲むリフレクタなどを設けることもできる。
【００４０】
本実施の形態に係る発光モジュール１は、第１の光源２０および第２の光源３０を備えているので、第１の光源２０からの光と、第２の光源３０からの光を合わせて照射することができる。そのため、後述する図７に示すように、光の色温度が２０００Ｋ以上、３２００Ｋ以下の範囲において、平均演色評価数Ｒａが９０以上、特殊演色評価数Ｒ９が９０以上となるようにすることができる。
【００４１】
以上に説明した発光モジュール１においては、高色温度の第２の光源３０は、赤色光源である第４の発光素子３２からの光束を１とした場合、白色光源である第３の発光素子３１からの光束は約２７７となる。この比率は、第２の光源３０のみで特殊演色評価数Ｒ９が９０以上を満たすことが可能となるように設計されている。例えば、白色光源である第３の発光素子３１がＲ９が約８５の光源であったとすると、白色光源の光束比率が４８０の場合はＲ９が約８７となるので、Ｒ９が９０以上とはならない。白色光源の光束比率が３００の場合はＲ９が約９０となるので、Ｒ９が９０以上となる。さらに、白色光源の光束比率が９６の場合はＲ９が約９９となるので、Ｒ９が９０以上となる。つまり、第２の光源３０においては、赤色光源である第４の発光素子３２からの光束を１とした場合、白色光源である第３の発光素子３１からの光束が３００以下の比率となることが好ましい。
【００４２】
さらに、以上に説明した発光モジュール１においては、低色温度の第１の光源２０は、赤色光源である第２の発光素子２２からの光束を１とした場合、白色光源である第１の発光素子２１からの光束は２３．７５となる。この比率は、高色温度の第２の光源３０とともに第１の光源２０を用いて調光し、１８００Ｋ以上３２００Ｋ以下の範囲で、特殊演色評価数Ｒ９が９０以上を満たすことが可能となるように設計されている。なお、前述したように、赤色光源である第４の発光素子３２からの光束を１とした場合、白色光源である第３の発光素子３１からの光束は約２７７となる。
【００４３】
例えば、白色光源である第１の発光素子３１が、Ｒ９が約４０の光源であったとすると、白色光源の光束比率が２８の場合には、約１８００ＫにてＲ９が約８４となるので、Ｒ９が９０以上とはならない。白色光源の光束比率が２５の場合には、約１８００ＫにてＲ９が約９０となるので、Ｒ９が９０以上となる。さらに、白色光源の光束比率が２０の場合には、Ｒ９が約９２となるので、Ｒ９が９０以上となる。つまり、第１の光源２０においては、赤色光源である第２の発光素子２２からの光束を１とした場合、白色光源である第１の発光素子からの光束が２５以下の比率となることが好ましい。
どちらの例においても、白色光源からの光束比率を下げ、赤色光源である第２の発光素子２２、第４の発光素子３２からの光を必要以上に追加することは適切ではない。
【００４４】
なお、以上に例示をした赤色光源は、視感度が低い領域の光を照射するため、赤色光源を追加するほど照明装置の効率が低下するおそれがある。また、赤色光源を必要以上に追加することで、Ｒ９が９０以上とならなくなるおそれもある。そのため、少なくとも白色光源からの光束が１以上の比率であることが好ましい。
また、第１の光源２０または第２の光源３０に用いられる発光素子の数量や直並列の関係は、上記の比率を元に定められても良く、以上に例示をした数量、直並列の関係に限定されるものではない。
【００４５】
（照明装置）  
次に、本実施の形態に係る照明装置１００について例示をする。  
以下においては、照明装置１００が、スタジオや舞台などに設置されるスポットライトである場合を例示する。この場合、スポットライトは、天井や壁などに固定するものであってもよいし、スタンドにセットされるものであってもよい。ただし、照明装置１００はスポットライトに限定されるわけではなく。前述した発光モジュール１を備えるものであればよい。
【００４６】
図６は、本実施の形態に係る照明装置１００を例示するための模式斜視図である。  
図６に示すように、照明装置１００には、発光モジュール１、放熱部１０１、筐体１０２、光学要素１０３、電源１０４、およびカラーフィルタ１０５を設けることができる。
【００４７】
放熱部１０１は、発光モジュール１において発生した熱を外部に放射する。放熱部１０１の一方の端部には、発光モジュール１が設けられている。放熱部１０１は、例えば、銅などを含む複数の放熱板、複数の放熱板に接続されたヒートパイプなどを備えることができる。
【００４８】
筐体１０２は、放熱部１０１の、発光モジュール１が設けられる側に設けられている。筐体１０２は、箱状を呈し、アルミニウム合金などを含むものとすることができる。筐体１０２の内部には空間が設けられ、筐体１０２の、発光モジュール１側の端部と、筐体１０２の、発光モジュール１側とは反対側の端部は開口している。
【００４９】
光学要素１０３は、筐体１０２の、発光モジュール１側とは反対側の端部の近傍に設けられている。光学要素１０３は、例えば、発光モジュール１から放射された光を収束または発散させる。光学要素１０３は、例えば、のこぎり状の断面を有するフレネルレンズとすることができる。
【００５０】
電源１０４は、外部から供給された交流電力を直流電力に変換し、変換された直流電力を第１の光源２０および第２の光源３０に供給する。  
図７は、第１の光源２０および第２の光源３０に直流電力を供給した場合の光の色温度と演色評価数とを例示するための模式グラフ図である。すなわち、図７は、第１の光源２０から照射された光と、第２の光源３０から照射された光とを合わせた光の色温度と演色評価数とを例示するための模式グラフ図である。
【００５１】
図７から分かるように、本実施の形態に係る発光モジュール１を備えていれば、光の色温度が２０００Ｋ以上、３２００Ｋ以下の範囲において、平均演色評価数Ｒａが９０以上、特殊演色評価数Ｒ９が９０以上となるようにすることができる。また、赤色光のピーク波長を７００ｎｍ以上とすることで、照射対象の人物などが不自然な色合いで視認されるのを抑制する効果も得られる。その結果、ハロゲンランプを備えた照明装置との置き換えが容易となる。例えば、ハロゲンランプを搭載した照明装置のように、Ｒａ、Ｒ９が高く、かつ、物体が自然な色合いで視認されるような光を出力しつつ、調光を行なうことができる。
【００５２】
また、電源１０４には、調色制御および調光制御の少なくともいずれかを行う制御回路１０４ａを設けることもできる。例えば、制御回路１０４ａは、第１の光源２０および第２の光源３０のいずれかから光を照射させたり、照射させる光の比率を変化させたりするものとすることができる。この様にすれば、光束や色温度を変化させることが可能となる。
【００５３】
一般的に、このような調光機能を有する照明装置を構成するときには、第１の発光素子２１用の電源、第３の発光素子３１用の電源、および赤色光を照射する発光素子用の電源、すなわち、計３台の電源が設けられる。しかしながら、本実施の形態に係る照明装置１００（発光モジュール１）の構成とすれば、第１の発光素子２１と第２の発光素子２２が直列接続された回路用の電源、および第３の発光素子３１と第４の発光素子３２が直列接続された回路用の電源、すなわち、計２台の電源で照明装置を構成することができる。そのため、照明装置の小型化やコストの低減を図ることができる。
また、白色光と赤色光のバランスを調整して直列に接続し、白色光と赤色光を連動して点灯する構成とすることで、赤色光を別系統で照射する照明装置と比べて、色温度や色偏差といった色の調整を簡易化することが可能となる。また、必ず赤色光が照射される構成となるため、赤色光を照射し忘れるといった事態を防ぐことも可能となる。
【００５４】
カラーフィルタ１０５は、筐体１０２の、発光モジュール１側とは反対側の端部に設けることができる。カラーフィルタ１０５は、オペレータが必要に応じて装着するものとすることができる。
【００５５】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００５６】
１  発光モジュール、１０  基板、１１  第１の配線パターン、１２  第２の配線パターン、２０  第１の光源、２１  第１の発光素子、２２  第２の発光素子、２３  第１の回路、２４  第２の回路、３０  第２の光源、３１  第３の発光素子、３２  第４の発光素子、３３  第３の回路、３４  第４の回路、１００  照明装置、１０４  電源
【図１】
2020119723.tif 000003
【図２】
2020119723.tif 000004
【図３】
2020119723.tif 000005
【図４】
2020119723.tif 000006
【図５】
2020119723.tif 000007
【図６】
2020119723.tif 000008
【図７】
2020119723.tif 000009